(57)【要約】【課題】防水シートの外側に必要な鉄筋支持部材を、当該防水シートを貫通する部材を使用しないで、防水シートの内側の支保工に支持させることが出来る鉄筋支持金具を提供する。【解決手段】外側嵌合具１には、内側固定座２５の一対の防水シート受け部２８ａ，２８ｂに嵌合する防水シート押え部７，１１を各別に備え且つ相対的に移動自在な一対の挟持体２，３と、この挟持体を移動させて、防水シート３６を前記各防水シート受け部と前記各防水シート押え部との間で挟持固定させるための挟持体駆動手段２０が設けられ、この挟持体駆動手段が、内側挟持体２に支持され且つ回転操作用カム板５を正方向に回転駆動する回転軸体４と、外側挟持体３に設けられたカム従動部１４によって構成され、回転操作用カム板５には、回転半径が漸増するカム周縁部２１に、カム従動部１４に作用して回転操作用カム板５の逆回転を阻止する逆止用凹凸２１ａが設けられている。【選択図】図７
2014084671.tif 000002
【特許請求の範囲】
【請求項１】
支保工の表面に固着される内側固定座と、この内側固定座に被さる防水シートが間に介在する状態で前記内側固定座に対して嵌合可能な外側嵌合具とから成り、前記内側固定座には、一対の防水シート受け部が設けられ、前記外側嵌合具には、内側固定座の一対の防水シート受け部に対応する防水シート押え部を各別に備え且つ相対的に移動自在な一対の挟持体と、この一対の挟持体を、前記一対の防水シート受け部に対して各防水シート押え部を接近させる方向に移動させて、防水シートを前記一対の防水シート受け部と各挟持体の防水シート押え部との間で挟持固定させるための挟持体駆動手段と、鉄筋支持部材接続部が設けられた鉄筋支持金具において、前記挟持体駆動手段が、前記一対の挟持体の内、内側の挟持体に対しては自転のみ可能で、外側の挟持体に設けられた挟持体移動方向と平行な長孔を貫通する回転軸体と、当該外側の挟持体の外側において前記回転軸体に取り付けられた回転操作用カム板と、この回転操作用カム板に隣接するように前記外側の挟持体から突設されたカム従動部によって構成され、前記回転操作用カム板は、正回転により前記カム従動部と前記回転軸体との間に入り込んで当該カム従動部を前記回転軸体から押し離すように作用する、回転半径が漸増するカム周縁部に、前記カム従動部との係合によりこの回転操作用カム板の逆回転を阻止する逆止用凹凸が形成され、前記鉄筋支持部材接続部は前記回転軸体に設けられ、前記回転操作用カム板の正回転操作時の前記一対の挟持体の相対移動により、防水シートが前記一対の防水シート受け部と各挟持体の防水シート押え部との間で挟持固定されるように構成された、鉄筋支持金具。
【請求項２】
前記内側固定座の一対の防水シート受け部は、内側固定座の天板部から両側に突出する張出し板部で構成され、前記外側嵌合具の一対の挟持体の防水シート押え部は、前記内側固定座の一対の防水シート受け部に対する接近移動によりこれら一対の防水シート受け部に各別に外嵌するように、これら一対の挟持体の移動方向の端部から内側に突出するように設けられたコ形嵌合部によって構成され、前記回転操作用カム板の正回転操作時の前記一対の挟持体の相対移動により、前記一対の挟持体の防水シート押え部が互いに接近移動するように構成された、請求項１に記載の鉄筋支持金具。
【請求項３】
前記外側の挟持体から突設されたカム従動部は、前記回転操作用カム板の正回転操作時の当該外側の挟持体の移動方向側の側辺の一部を外側に折曲させた折曲起立板部で構成されている、請求項２に記載の鉄筋支持金具。
【請求項４】
前記回転軸体には、前記回転操作用カム板から外側に突出する角軸状の突出端部が設けられ、この突出端部に、前記鉄筋支持部材接続部となるネジ孔が同心状に設けられ、前記回転操作用カム板には、前記逆止用凹凸を備えたカム周縁部の最大半径側の端部とこの回転操作用カム板の最小半径周辺部とをつなぐ直線側辺から外側に折曲させた指掛け用折曲起立板部が設けられている、請求項１〜３の何れか１項に記載の鉄筋支持金具。
【請求項５】
前記一対の挟持体の内、内側の挟持体には、その移動方向と平行な両側辺から外側の挟持体の両側辺を挟む折曲起立側辺部が設けられ、外側の挟持体には、この外側の挟持体の表面より突出する前記折曲起立側辺部の上端とほぼ同一高さの起立周側壁部が前記長孔の周囲から突設され、前記回転操作用カム板は、前記折曲起立側辺部と前記起立周側壁部の上に摺接するように構成されている、請求項１〜４の何れか１項に記載の鉄筋支持金具。
【請求項６】
前記回転軸体は、前記回転操作用カム板から外側に突出する角軸状の突出端部と、この突出端部から内側に同心状に連設されて前記外側の挟持体の長孔と内側の挟持体の軸孔を貫通する円筒状部と、当該円筒状部の内端に前記軸孔の周囲に重なるように形成された抜け止め用鍔部を備え、前記内側の挟持体の内側面に、前記抜け止め用鍔部に対して挟持体の移動方向の両側に位置するように、当該抜け止め用鍔部とほぼ同一高さの突条部が設けられている、請求項２〜５の何れか１項に記載の鉄筋支持金具。
【発明の詳細な説明】
【技術分野】
【０００１】
本発明は、主としてトンネルのコンクリート覆工工事における二次覆工作業において、一次覆工層の表面を覆う防水シートの外側に、当該防水シートを貫通する部材を使用しないで鉄筋を所定位置に支持させることの出来る鉄筋支持金具に関するものである。
【背景技術】
【０００２】
トンネルのコンクリート覆工工事における二次覆工作業においては、一次覆工層の表面に防水シートを張設し、この防水シートの外側（一次覆工層のある側とは反対側）に鉄筋を配置したコンクリート打設空間を型枠にて形成し、当該コンクリート打設空間内にコンクリートを打設して、一次覆工層との間が防水シートで区画された二次覆工層（トンネル内面を形成する鉄筋コンクリート層）を構築するのであるが、前記コンクリート打設空間内に配置される鉄筋を所定位置に支持させるために、強度のある一次覆工層の支保工に当該鉄筋を支持させる必要がある。このとき、支保工に溶接された鉄筋支持部材が防水シートを貫通したのでは、当該防水シートの防水効果が前記鉄筋支持部材の貫通により著しく低下する。このため近年は、特許文献１に記載されるように、前記支保工に溶接された内側固定座を防水シートで覆い、この防水シートの外側から前記内側固定座に嵌合させて固定出来る外側嵌合具を使用し、この外側嵌合具に鉄筋支持部材をネジ結合させる構成が考えられている。
【０００３】
この特許文献１に記載されるように、従来のこの種の鉄筋支持金具の基本構成は、支保工の表面に固着される内側固定座と、この内側固定座に被さる防水シートが間に介在する状態で前記内側固定座に対して嵌合可能な外側嵌合具とから成り、前記内側固定座には、一対の防水シート受け部が設けられ、前記外側嵌合具には、内側固定座の一対の防水シート受け部に対応する防水シート押え部を各別に備え且つ相対的に移動自在な一対の挟持体と、この一対の挟持体を、前記一対の防水シート受け部に対して各防水シート押え部を接近させる方向に移動させて、防水シートを前記一対の防水シート受け部と各挟持体の防水シート押え部との間で挟持固定させるための挟持体駆動手段と、鉄筋支持部材接続用のネジ孔が設けられた構成となっている。更に特許文献１に記載された鉄筋支持金具の挟持体駆動手段は、鉄筋支持部材接続用のネジ孔が設けられた回転軸体に長方形状の回転カム板を取り付け、前記一対の挟持体には、前記回転カム板の短辺方向両端の長辺側部を挟む溝状の係合部（これら各係合部の外側が前記防水シート押え部と成る）を設けた構成になっており、前記回転カム板を９０度回転させて、その長辺方向両端の短辺側部により前記一対の挟持体の係合部を互いに離間させるように押し広げることにより、当該一対の挟持体が互いに逆方向に移動してその係合部と前記内側固定座の一対の防水シート受け部との間で防水シートを挟み込むと同時に、前記回転カム板の長辺方向両端の短辺側部で、一対の挟持体の係合部が互いに接近する方向に復帰移動するのを阻止する構成となっている。
【先行技術文献】
【特許文献】
【０００４】
【特許文献１】特開２００６−２９１６８６号公報
【発明の概要】
【発明が解決しようとする課題】
【０００５】
特許文献１に記載された具体的な構成では、長方形状の回転カム板が、その短辺方向両端の長辺側部が一対の挟持体の係合部間に位置する状態（一対の挟持体の係合部（防水シート押え部）間が最も狭まった状態）から９０度回転させて、その長辺方向両端の短辺側部が一対の挟持体の係合部間に位置する状態（一対の挟持体の係合部（防水シート押え部）間が最も広がった状態）に切り換えることによって始めて、防水シート内側の内側固定座と防水シート外側の外側嵌合具とが、間に防水シートを挟み込んだ状態で安定することになるので、この状態で内側固定座と外側嵌合具とが間に防水シートを挟み込んだ状態で確実強固に結合されるためには、回転カム板の長辺長さを十分に長くしなければならない。従って、回転カム板を９０度回転させるのに非常に大きな操作力が必要になり、しかも９０度回転し終わるまで完全に回転させなければならいので、最初からインパクトドライバーやラチェットハンドルなどの工具を使用して、一気に回転カム板を９０度回転させる必要があり、作業性に問題があった。
【課題を解決するための手段】
【０００６】
本発明は、上記のような従来の問題点を解消することのできる鉄筋支持金具を提案するものであって、本発明に係る鉄筋支持金具は、後述する実施例との関係を理解し易くするために、当該実施例の説明において使用した参照符号を括弧付きで付して示すと、支保工(37)の表面(37a)に固着される内側固定座(25)と、この内側固定座(25)に被さる防水シー
ト(36)が間に介在する状態で前記内側固定座(25)に対して嵌合可能な外側嵌合具(1)とか
ら成り、前記内側固定座(25)には、一対の防水シート受け部(28a,28b)が設けられ、前記
外側嵌合具(1)には、内側固定座(25)の一対の防水シート受け部(28a,28b)に対応する防水シート押え部(7,11)を各別に備え且つ相対的に移動自在な一対の挟持体(2,3)と、この一
対の挟持体(2,3)を、前記一対の防水シート受け部(28a,28b)に対して各防水シート押え部(7,11)を接近させる方向に移動させて、防水シート(36)を前記一対の防水シート受け部(28a,28b)と各挟持体(2,3)の防水シート押え部(7,11)との間で挟持固定させるための挟持体駆動手段(20)と、鉄筋支持部材接続部(19)が設けられた鉄筋支持金具において、前記挟持体駆動手段(20)が、前記一対の挟持体(2,3)の内、内側の挟持体(2)に対しては自転のみ可能で、外側の挟持体(3)に設けられた挟持体移動方向と平行な長孔(12)を貫通する回転軸
体(4)と、当該外側の挟持体(3)の外側において前記回転軸体(4)に取り付けられた回転操
作用カム板(5)と、この回転操作用カム板(5)に隣接するように前記外側の挟持体(3)から
突設されたカム従動部(14)によって構成され、前記回転操作用カム板(5)は、正回転によ
り前記カム従動部(14)と前記回転軸体(4)との間に入り込んで当該カム従動部(14)を前記
回転軸体(4)から押し離すように作用する、回転半径が漸増するカム周縁部(21)に、前記
カム従動部(14)との係合によりこの回転操作用カム板(5)の逆回転を阻止する逆止用凹凸(21a)が形成され、前記回転操作用カム板(5)の正回転操作時の前記一対の挟持体(2,3)の相対移動により、防水シート(36)が前記一対の防水シート受け部(28a,28b)と各挟持体(2,3)の防水シート押え部(7,11)との間で挟持固定される構成になっている。
【０００７】
上記構成の本発明の鉄筋支持金具は、次のように使用することが出来る。即ち、支保工(37)の表面(37a)に溶接などにより固着された内側固定座(25)の外側に防水シート(36)を
、当該内側固定座(25)の周囲に必要な弛みを持たせた状態で張設し、この防水シート(36)の外側から外側嵌合具(1)を内側固定座(25)に対して嵌合させる。即ち、外側嵌合具(1)の一対の挟持体(2,3)を、その各挟持体(2,3)の防水シート押え部(7,11)間の間隔が内側固定座(25)に対して嵌合させることが出来る間隔となるように行程限まで相対移動させた状態で、内側固定座(25)に嵌合させる。
【０００８】
この結果、この外側嵌合具(1)と内側固定座(25)との間に防水シート(36)が挟み込まれ
た状態で、内側固定座(25)の一対の防水シート受け部(28a,28b)に対して外側嵌合具(1)の一対の挟持体(2,3)の各防水シート押え部(7,11)が対応する状態になるので、回転操作用
カム板(5)を正方向に手作業で回転操作し、その回転半径が漸増するカム周縁部(21)を、
外側の挟持体(3)のカム従動部(14)と前記回転軸体(4)との間に進入させ、外側の挟持体(3)と内側の挟持体(2)を、各挟持体(2,3)の防水シート押え部(7,11)が内側固定座(25)の一
対の防水シート受け部(28a,28b)との間で防水シート(36)を挟み込む方向に互いに相対移
動させる。このとき、防水シート(36)の介在による抵抗で回転操作用カム板(5)が操作方
向とは逆方向に反力を受ける状況になれば、換言すれば、手作業による回転操作用カム板(5)の回転操作によって、外側嵌合具(1)が間に防水シート(36)を挟み込んだ状態で内側固定座(25)に引っ掛かった状態になれば、回転操作用カム板(5)に対する回転操作を中断し
ても、当該回転操作用カム板(5)のカム周縁部(21)の逆止用凹凸(21a)がカム従動部(14)に係合して、当該回転操作用カム板(5)の逆回転が自動的に阻止されているので、外側嵌合
具(1)から手を放しても脱落する恐れはない。
【０００９】
この後は、インパクトドライバーやラチェットハンドルなどの工具を使用して、前記回転軸体(4)を介して回転操作用カム板(5)を正方向の行程限まで完全に回転操作すれば、外側嵌合具(1)の各挟持体(2,3)の防水シート押え部(7,11)が内側固定座(25)の一対の防水シート受け部(28a,28b)側に完全に押圧され、間に挟まれた防水シート(36)を完全に挟持固
定することが出来る。このようにして、本発明の鉄筋支持金具を、間に防水シート(36)を挟み込んだ状態で支保工(37)に強固に固定したならば、外側嵌合具(1)が備える鉄筋支持
部材接続部(19)に鉄筋支持部材(39)を結合し、この鉄筋支持部材(39)に、二次覆工層内に埋設される鉄筋(40)を連結して支持させれば良い。
【発明の効果】
【００１０】
上記のように本発明の鉄筋支持金具によれば、外側嵌合具を内側固定座に対し、間に防水シートを挟み込んだ状態で手作業により簡単に仮止めすることが出来る。従って、間に防水シートを挟み込んだ状態で外側嵌合具を内側固定座に最初から電動工具などを使用して最終段階まで取付けなければならないものと比較して、現場での作業性が改善される。勿論、本発明のものも最初から電動工具などを使用して最終段階まで取付けることも可能であるが、何れにしても外側嵌合具と内側固定座との間に挟む込まれた防水シートによって外側嵌合具の一対の挟持体に対する締付け操作に一定以上の負荷がかかったときに当該締付け操作を完了することが出来るので、例えば使用される防水シートの厚さが薄くなったために、間に防水シートを挟んだ状態での内側固定座に対する外側嵌合具の結合が不十分で両者間にガタが生じ、外側嵌合具に結合される鉄筋支持部材が不安定になる、というような事態や、逆に使用される防水シートの厚さが厚くなって、間に防水シートを挟んだ状態で外側嵌合具を内側固定座に固定出来ない事態が生じるようなことが無くなる。
【００１１】
尚、先に示した特許文献１に記載の構成では、内側固定座の一対の防水シート受け部が互いに対向する内向きのコ形嵌合部によって構成され、外側嵌合具の一対の挟持体の各防水シート押え部が、前記一対の防水シート受け部間に嵌合した状態で互いに離間する方向に移動して各内向きコ形嵌合部に嵌合するように構成されている。本発明を実施する場合も、内側固定座(25)の一対の防水シート受け部(28a,28b)と外側嵌合具(1)の一対の挟持体(2,3)の各防水シート押え部(7,11)の位置関係が、上記特許文献１に記載されているよう
に、内側固定座(25)の一対の防水シート受け部(28a,28b)が外側嵌合具(1)の一対の挟持体(2,3)の各防水シート押え部(7,11)の外側に位置するように構成することも出来るが、こ
の逆の位置関係に構成するのが望ましい。即ち、前記内側固定座(25)の一対の防水シート受け部(28a,28b)は、内側固定座(25)の外端部から両側に突出する張出し板部で構成し、
前記外側嵌合具(1)の一対の挟持体(2,3)の各防水シート押え部(7,11)は、前記内側固定座(25)の一対の防水シート受け部(28a,28b)に対する接近移動によりこれら一対の防水シー
ト受け部(28a,28b)に各別に外嵌するように、これら一対の挟持体(2,3)の移動方向の端部から内側に突出するように設けられたコ形嵌合部(6,10)によって構成し、前記回転操作用カム板(5)の正回転操作時の前記一対の挟持体(2,3)の相対移動により、前記一対の挟持体(2,3)の防水シート押え部(7,11)が互いに接近移動するように構成することが出来る。
【００１２】
この場合、前記外側の挟持体(3)から突設されたカム従動部(14)は、前記回転操作用カ
ム板(5)の正回転操作時の当該外側の挟持体(3)の移動方向側の側辺の一部を外側に折曲させた折曲起立板部(13)で構成することが出来る。
【００１３】
又、前記回転操作用カム板(5)が取り付けられて当該カム板(5)と一体に自転する回転軸体(4)には、特許文献１にも記載されるように、電動工具などで回転操作用カム板(5)を回転駆動するときの回転力入力部として角軸状の突出端部(15)を設け、この突出端部(15)に、前記鉄筋支持部材接続部(19)となるネジ孔(19a)を同心状に設けることが出来るが、前
記回転操作用カム板(5)には、前記逆止用凹凸(21a)を備えたカム周縁部(21)の最大半径側の端部とこの回転操作用カム板(5)の最小半径周辺部とをつなぐ直線側辺から外側に折曲
させた指掛け用折曲起立板部(22)を設けることにより、当該回転操作用カム板を手動で正方向に回転操作するとき、親指を回転軸体の突出端部に当てると共に人差し指や中指を回転操作用カム板の前記指掛け用折曲起立板部に掛けて、当該指掛け用折曲起立板部を前記回転軸体の周りに正方向に捩じるように操作することにより、簡単容易に回転操作用カム板を手動で操作することが出来る。
【００１４】
外側嵌合具(1)は、その一対の挟持体(2,3)が直線状に相対移動出来る構成でなければならないが、当該一対の挟持体(2,3)の内、内側の挟持体(2)には、その移動方向と平行な両側辺から外側の挟持体(3)の両側辺を挟む折曲起立側辺部(8a,8b)を設けることにより、一対の挟持体(2,3)が直線状に相対移動出来るようになるが、この場合、外側の挟持体(3)に設けられる前記長孔(12)の周囲から、当該外側の挟持体(3)の表面より突出する前記折曲
起立側辺部(8a,8b)の上端とほぼ同一高さの起立周側壁部(12a)を突設し、前記回転操作用カム板(5)は、前記折曲起立側辺部(8a,8b)と前記起立周側壁部(12a)の上に摺接するよう
に構成することが出来る。この構成によれば、内側の挟持体は、その両側辺に設けられる前記折曲起立側辺部によって補強すると共に、外側の挟持体は、その長孔の周囲の前記起立周側壁部によって補強することが出来、しかも前記回転操作用カム板は、前記起立周側壁部と前記折曲起立側辺部によって安定良く支持され、摩擦抵抗の少ない状態で軽く円滑に回転操作することが出来る。
【００１５】
更に、前記回転軸体(4)は、前記回転操作用カム板(5)から外側に突出する角軸状の突出端部(15)と、この突出端部(15)から内側に同心状に連設されて前記外側の挟持体(3)の長
孔(12)と内側の挟持体(2)の軸孔(9)を貫通する円筒状部(16)と、当該円筒状部(16)の内端に前記軸孔(9)の周囲に重なるように形成された抜け止め用鍔部(17)を備えた構造とし、
前記内側の挟持体(2)の内側面に、前記抜け止め用鍔部(17)に対して挟持体(2,3)の移動方向の両側に位置するように、当該抜け止め用鍔部(17)とほぼ同一高さの突条部(18a,18b)
を設けることが出来る。この構成は、先に説明したように、内側固定座に対して外側嵌合具が間に防水シートを挟むようにして外嵌する構成において、外側嵌合具が、回転軸体の内端に必要な抜け止め用鍔部とその両側の前記突条部を介して、内側固定座との間で防水シートを挟むことになり、外側嵌合具の一対の挟持体を内側固定座の表面上で安定的に滑動させることが出来る。
【図面の簡単な説明】
【００１６】
【図１】図１Ａは、外側嵌合具の平面図、図１Ｂは、同側面図である。
【図２】図２Ａは、外側嵌合具の横断平面図、図２Ｂは、同縦断側面図、図２Ｃは、同分解縦断側面図である。
【図３】図３Ａは、内側固定座の平面図、図３Ｂは、同一部縦断側面図、図３Ｃは、同内側固定座の補助用具を起立姿勢に切り換えた状態を示す一部縦断側面図である。
【図４】図４は、内側固定座の取付け状態を示す一部縦断側面図である。
【図５】図５Ａは、内側固定座に対する外側嵌合具の取付け第一段階を示す一部縦断側面図、図５Ｂは、同取付け第一段階での外側嵌合具を示す正面図である。
【図６】図６Ａは、内側固定座に対する外側嵌合具の取付け完了状態を示す一部縦断側面図、図６Ｂは、同取付け完了状態での外側嵌合具を示す正面図である。
【図７】図７は、外側嵌合具に鉄筋支持部材を取り付けた状態を示す一部縦断側面図である。
【発明を実施するための形態】
【００１７】
図１及び図２に示す外側嵌合具１は、互いに重ねられた内側挟持体２と外側挟持体３、これら両挟持体２，３を一体化する回転軸体４、及びこの回転軸体４に固着されて外側挟持体３の外側に重なる回転操作用カム板５から構成されている。
【００１８】
内側挟持体２は、帯状板の一端部を内側にコ字形に折り返して形成したコ形嵌合部６から成る防水シート押え部７と、この帯状板の両側辺から外向きに折曲させた一対の折曲起立側辺部８ａ，８ｂ、及び軸孔９を備えている。外側挟持体３は、内側挟持体２の一対の折曲起立側辺部８ａ，８ｂ間に当該折曲起立側辺部８ａ，８ｂに沿った方向に移動自在に重なる帯状板から構成されたもので、内側挟持体２のコ形嵌合部６のある側とは反対側の端部を内側へコ字形に折り返して形成したコ形嵌合部１０から成る防水シート押え部１１と、内側挟持体２の軸孔９に重なる位置でこの外側挟持体３の移動方向と平行に設けられた長孔１２と、この長孔１２の周囲から外側に折曲形成された起立周側壁部１２ａと、前記コ形嵌合部１０のある側とは反対側の端部で折曲起立側辺部８ａに隣接する側の角部から外向きに折曲された折曲起立板部１３によって構成されたカム従動部１４を備えている。
【００１９】
尚、内側挟持体２のコ形嵌合部６と外側挟持体３のコ形嵌合部１０とは、その開口部が内向きに対向するもので、コ形嵌合部６の外側内向き板部６ａとコ形嵌合部１０の外側内向き板部１０ａとは、内外両挟持体２，３を水平にしたときに同一高さにある。又、内側挟持体２の一対の折曲起立側辺部８ａ，８ｂは、外側挟持体３の長孔１２の周囲から外側に突出する起立周側壁部１２ａの上端と同一レベルまで外側挟持体３の外側面より突出している。
【００２０】
回転軸体４は、全体が筒状のものであって、回転操作用カム板５から外側に突出する角軸状の突出端部１５と、この角軸状の突出端部１５の内端から同心状に一体に連設された、当該角軸状の突出端部１５の最大径よりも小径の円筒状部１６とから成るもので、円筒状部１６が外側挟持体３の長孔１２と内側挟持体２の軸孔９とを相対回転自在に貫通し、この軸孔９から内側に突出する円筒状部１６の先端に軸孔９の周囲に重なる抜け止め用鍔部１７が一体形成されている。回転操作用カム板５は、その内側面が回転軸体４の突出端部１５の内端と面一で且つ外側挟持体３の長孔１２の周囲の起立周側壁部１２ａの外端面と内側挟持体２の一対の折曲起立側辺部８ａ，８ｂの上端とに当接出来る高さになるように、当該突出端部１５に外嵌する状態で溶接により固着されている。又、内側挟持体２には、回転軸体４の抜け止め用鍔部１７に対して外側挟持体３の移動方向の両側に位置するように、当該抜け止め用鍔部１７とほぼ同一高さで且つ内側挟持体２の巾方向に沿った直線状の突条部１８ａ，１８ｂが一体形成されている。更に、回転軸体４の中央貫通孔の内、突出端部１５の内側になる領域はネジ孔１９ａに加工されて、鉄筋支持部材接続部１９となっている。
【００２１】
回転軸体４と、当該回転軸体４と一体の回転操作用カム板５、及び外側挟持体３に連設されたカム従動部１４は、挟持体駆動手段２０を構成するものである。回転操作用カム板５は、その平面形状が勾玉形のもので、１８０度弱の範囲内で回転軸体４の軸心からの半径が漸増するカム周縁部２１に、外側挟持体３のカム従動部１４を構成する折曲起立板部１３の角部１３ａと係合する鋸歯状の逆止用凹凸２１ａが形成されている。又、回転操作用カム板５には、カム周縁部２１の最大半径側の端部とこの回転操作用カム板５の最小半径周辺部とをつなぐ直線側辺から外側に折曲する指掛け用折曲起立板部２２が設けられている。
【００２２】
上記構成の挟持体駆動手段２０によれば、図１及び図２Ａに示すように、内側挟持体２と外側挟持体３とが、それぞれのコ形嵌合部６，１０（防水シート押え部７，１１）間の間隔が最大に広げられる後退側行程限まで相対的に移動して、回転軸体４が外側挟持体３の長孔１２の一端に当接しているとき、回転操作用カム板５は、その指掛け用折曲起立板部２２が外側挟持体３のカム従動部１４から最も離れた位置にあって且つカム周縁部２１を有する部分が外側挟持体３の片側の折曲起立側辺部８ａの上で受けられる待機状態にある。係る待機状態から回転操作用カム板５を、例えば回転軸体４の突出端部１５の内側（カム周縁部２１のある側）に右手の親指を当てると共に同右手の人差し指乃至は中指を指掛け用折曲起立板部２２の外側（カム周縁部２１のある側とは反対側）に当てて、時計回りに捩じるように操作して、そのカム周縁部２１が回転軸体４とカム従動部１４との間に進入する正方向に回転操作すると、半径が漸増するカム周縁部２１が回転軸体４とカム従動部１４との間の間隔を漸増させ、回転軸体４を有する内側挟持体２とカム従動部１４を有する外側挟持体３が互に反対方向に相対移動して、コ形嵌合部６，１０（防水シート押え部７，１１）間の間隔が徐々に狭められる。このとき、コ形嵌合部６，１０（防水シート押え部７，１１）間を広げる方向の抵抗力が作用していると、回転操作用カム板５の正方向の回転を止めたとき、カム周縁部２１の鋸歯状の逆止用凹凸２１ａの谷部がカム従動部１４の角部、即ち、折曲起立板部１３の角部１３ａに嵌合し、当該回転操作用カム板５が前記抵抗力によって逆回転するのを阻止する。
【００２３】
図３に示す内側固定座２５は、一枚の鉄板の裁断と曲げ加工により構成される本体２６と、丸棒鋼から構成される補助用具２７との組み合わせから成る。本体２６は、天板部２６ａと脚部２６ｂ、及び一対の防水シート受け部２８ａ，２８ｂを備えている。防水シート受け部２８ａ，２８ｂは、天板部２６ａの両端の内側への折返し重なり板部で構成され、脚部２６ｂは、防水シート受け部２８ａ，２８ｂの内側辺から天板部２６ａに対して直角に折曲連設された一対の脚板部２６ｃと、天板部２６ａの防水シート受け部２８ａ，２８ｂを構成していない両側辺から脚板部２６ｃ間に配置されるように折曲連設された一対の軸受け板部２６ｄによって構成されている。補助用具２７は、丸棒鋼をコ字形に曲げ加工したもので、本体２６の脚部２６ｂにおける一対の軸受け板部２６ｄに設けられた軸孔２９を貫通する支軸部２７ａと、この支軸部２７ａの一端から横側方に直角に折曲されたレバー部２７ｂと、このレバー部２７ｂの先端から支軸部２７ａのある側へ当該支軸部と平行に折曲された防水シート受け部２７ｃから構成されている。尚、この防水シート受け部２７ｃの先端は、防水シートに対する引っ掛かりを抑えるために、支軸部２７ａのある側に直角に折曲させている。
【００２４】
補助用具２７の支軸部２７ａは、扁平な帯板状に形成され、本体２６の前後一対の軸受け板部２６ｃに設けられた軸孔２９には、当該支軸部２７ａの回転角を、図３Ｂに示すように、防水シート受け部２７ｃが本体２６の天板部２６ａとほぼ平行になる倒伏姿勢と、図３Ｃに示すように、防水シート受け部２７ｃが本体２６の天板部２６ａに対して直角外方に位置する起立姿勢との間の範囲内に補助用具２７（支軸部２７ａ）の回転を制限する一対の突起部２９ａ，２９ｂが形成されている。又、支軸部２７ａには、本体２６の脚部２６ｂにおける前後一対の軸受け板部２６ｄの外側に隣接するように、軸方向移動制限用のカシメ部材３０ａ，３０ｂが取り付けられている。
【００２５】
次に上記構成の外側嵌合具１と内側固定座２５から成る本発明の鉄筋支持具の使用方法を説明すると、トンネルのコンクリート覆工工事における二次覆工作業の第一段階において、図４に示すように、一次覆工層３５の内側に防水シート３６が張設されるが、この防水シート３６の張設作業に先立って、一次覆工層３５の表面と面一に埋設されている支保工３７の露出表面３７ａを利用して、トンネルの周方向と長手方向とに関して適当間隔おきに本発明の鉄筋支持具の内側固定座２５を取り付ける。この支保工３７に対する内側固定座２５の取り付けは、本体２６の脚部２６ｂにおける一対の脚板部２６ｃの先端を支保工３７の露出表面３７ａに溶接止めすることにより行われるが、このとき、補助用具２７の支軸部２７ａがトンネル長手方向と平行な水平向きとなり且つ重力で補助用具２７が前記起立姿勢の方に回転力を受ける向きで、内側固定座２５を支保工３７に取り付ける。この結果、図４に示すように、支保工３７に取り付けられた内側固定座２５の補助用具２７は重力により起立姿勢となり、その防水シート受け部２７ｃが、本体２６の天板部２６ａから直角外方へ（トンネル内部側へ）離れて位置している。
【００２６】
上記のように一次覆工層３５の内側に内側固定座２５を所定の配置で取り付けたならば、次に防水シート３６を、各内側固定座２５と一次覆工層３５を覆うように張設するのであるが、上記のように各内側固定座２５の起立姿勢にある補助用具２７の防水シート受け部２７ｃが内側固定座２５の本体２６の天板部２６ａから大きく突出しているので、防水シート３６の各内側固定座２５を覆う部分が、起立姿勢にある補助用具２７によって内側固定座２５の本体２６から突き出された状態になる。防水シート３６の張設にあたっては、起立姿勢の補助用具２７を含む内側固定座２５の周囲に防水シート３６を出来る限り寄せて、防水シート３６の内側固定座２５を覆う部分に、本体２６の防水シート受け部２８ａ，２８ｂを有するΠ形周面に沿わせることが出来るだけの余裕を確保させておく。
【００２７】
図４に示すように、各内側固定座２５と一次覆工層３５を覆うように防水シート３６を張設したならば、次に防水シート３６の外側から内側固定座２５に外側嵌合具１を嵌合させる。即ち、図５Ａに示すように、外側嵌合具１を嵌合させようとする内側固定座２５の起立姿勢にある補助用具２７を防水シート３６の外側から手で操作して、当該補助用具２７を重力に抗して倒伏姿勢に切り換える。このとき、或る程度の硬さを有する防水シート３６も、その倒伏姿勢になった補助用具２７を押え付けるように一次覆工層３５の方に押し付けておき、出来れば指先で、内側固定座２５を覆っている防水シート３６を、当該内側固定座２５の防水シート受け部２８ａ，２８ｂを有するΠ形周面に沿わせるように変形させておく。係る状態で、防水シート押え部７，１１間の間隔が最大になっている、図１及び図２Ａに示す待機状態の外側嵌合具１を、図５Ａに示すように、その防水シート押え部７，１１が内側固定座２５の防水シート受け部２８ａ，２８ｂを挟む状態になるように、防水シート３６の外側から内側固定座２５に外嵌させる。換言すれば、このように前記待機状態の外側嵌合具１を、内側固定座２５の防水シート受け部２８ａ，２８ｂを挟むように、防水シート３６の外側から内側固定座２５に外嵌させることが出来るように、前記待機状態の外側嵌合具１の防水シート押え部７，１１間の間隔と内側固定座２５の左右一対の防水シート受け部２８ａ，２８ｂの最大巾とが設定されている。
【００２８】
次に外側嵌合具１の回転操作用カム板５を、図５Ｂに示すように、先に説明したように、回転軸体４の角軸状の突出端部１５と回転操作用カム板５側の指掛け用折曲起立板部２２とを利用して正方向に回転させ、当該回転操作用カム板５の正方向の回転に伴わせて内外両挟持体２，３を、その防水シート押え部７，１１間の間隔が狭まる方向に相対移動させる。この結果、内側固定座２５を覆っている防水シート３６が、互いに接近する方向に相対移動する外側嵌合具１の防水シート押え部７，１１によって、内側固定座２５の一対の防水シート受け部２８ａ，２８ｂと支保工３７の露出表面３７ａとの間に押し込まれながら、内側固定座２５の一対の防水シート受け部２８ａ，２８ｂとこれに外嵌する外側嵌合具１の防水シート押え部７，１１（コ形嵌合部６，１０）との間に挟み込まれることになり、防水シート３６が或る程度の硬さを有するものであるから、正方向に回転させている回転操作用カム板５に対する抵抗が大きくなる。この状態で回転操作用カム板５から手を離しても、回転操作用カム板５が逆方向に回転することは、先に説明したように、回転操作用カム板５のカム周縁部２１における逆止用凹凸２１ａとカム従動部１４との係合により自動的に阻止され、防水シート押え部７，１１が互いに離間する方向に内外両挟持体２，３が相対移動することはない。
【００２９】
即ち、防水シート３６の外側から外側嵌合具１を内側固定座２５に外嵌させると共に、回転操作用カム板５を、指先で無理なく回転させることが出来る範囲内で正方向に回転させることにより、間に防水シート３６を挟み込んだ状態で外側嵌合具１が内側固定座２５に外嵌した状態に仮止めされることになるので、外側嵌合具１から手を離しても当該外側嵌合具１が脱落してしまうことは無い。最後に、図６に示すように、インパクトドライバーやラチェットハンドルなどの回転操作用工具のボックススパナ部３８を回転軸体４の角軸状の突出端部１５に外嵌させて、この回転軸体４を介して回転操作用工具により回転操作用カム板５を正方向に強制回転操作し、外側嵌合具１の防水シート押え部７，１１（コ形嵌合部６，１０）と内側固定座２５の防水シート受け部２８ａ，２８ｂとの間で防水シート３６を完全に挟み込ませることにより、本発明の鉄筋支持具の取付け作業が完了する。
【００３０】
以上のようにして、支保工３７に固着された内側固定座２５に対して外側嵌合具１を、間に防水シート３６を挟み込んだ状態で外嵌固定したならば、各外側嵌合具１が有する鉄筋支持部材接続部１９、即ち、ネジ孔１９ａに、図７に示すように鉄筋支持部材、ここでは適当長さの鉄筋などの丸棒鋼の一端に螺軸部３９ａを設けて成る鉄筋支持部材３９の螺軸部３９ａをネジ込んで、一次覆工層３５の表面に対して直角向きに鉄筋支持部材３９を取り付けることにより、一次覆工層３５を覆うように形成される二次覆工層内に配置すべき鉄筋４０を、前記鉄筋支持部材３９に溶接や番線止め等の適当な方法で取り付けて支持させることが出来る。
【００３１】
尚、内側固定座２５に設けた補助用具２７は、本発明に必須のものでは無く、省いても良い。又、内側固定座２５側の防水シート受け部２８ａ，２８ｂを張出し板状に構成し、外側嵌合具１側の相対移動自在な内外両挟持体２，３に設けられる防水シート押え部７，１１を、前記防水シート受け部２８ａ，２８ｂに外嵌するコ形嵌合部６，１０によって構成したが、特許文献１に記載されるように、内側固定座２５側に互いに対向するコ形嵌合部から成る防水シート受け部２８ａ，２８ｂを設け、外側嵌合具１側の相対移動自在な内外両挟持体２，３の、前記防水シート押え部７，１１を設けた側とは反対側の端部、即ち、回転操作用カム板５の正方向回転により相対移動する内外両挟持体２，３の互いに離間移動する方向の端部に、内側固定座２５側のコ形嵌合部から成る防水シート受け部２８ａ，２８ｂ内に内嵌する張出し板状の防水シート押え部７，１１を設けて構成することも可能である。
【産業上の利用可能性】
【００３２】
本発明の鉄筋支持金具は、トンネルのコンクリート覆工工事における二次覆工作業において、一次覆工層の内側を覆う防水シートの内側に、当該防水シートを貫通する部材を使用しないで鉄筋を所定位置に支持させるための手段として活用出来る。
【符号の説明】
【００３３】
１    外側嵌合具
２    内側挟持体
３    外側挟持体
４    回転軸体
５    回転操作用カム板
６，１０    コ形嵌合部
７，１１    防水シート押え部
８ａ，８ｂ    折曲起立側辺部
９    軸孔
１２    長孔
１２ａ    起立周側壁部
１３    折曲起立板部
１４    カム従動部
１５    回転軸体の角軸状突出端部
１６    回転軸体の円筒状部
１７    回転軸体の抜け止め用鍔部
１８ａ，１８ｂ    突条部
１９ａ    ネジ孔
２０    挟持体駆動手段
２１    カム周縁部
２１ａ    逆止用凹凸
２２    指掛け用折曲起立板部
２５    内側固定座
２６    内側固定座の本体
２６ａ    本体の天板部
２６ｂ    本体の脚部
２７    内側固定座の補助用具
２８ａ，２８ｂ    一対の防水シート受け部
３５    一次覆工層
３６    防水シート
３７    支保工
３９    鉄筋支持部材
３９ａ    鉄筋支持部材の螺軸部
４０    鉄筋
【図１】
2014084671.tif 000003
【図２】
2014084671.tif 000004
【図３】
2014084671.tif 000005
【図４】
2014084671.tif 000006
【図５】
2014084671.tif 000007
【図６】
2014084671.tif 000008
【図７】
2014084671.tif 000009